(57)【要約】【課題】リテーナの設計変更が不要であり、隣り合う端子間の短絡を抑制できる充電用インレットを提供することを目的とする。【解決手段】充電用インレット１は、端子接続部４１とバレル部４２とを備える複数の急速充電用端子４０と、端子挿入口２４を有する端子収容筒２３を備えるインレットハウジング１０と、インレットハウジング１０に組み付けられる第２リテーナ５０とを備える。第２リテーナ５０は、端子挿入口２４を塞ぐように配置され、端子接続部４１の軸方向に対して垂直な方向に変位可能な抜け止め壁５１を備える。抜け止め壁５１は、抜け止めスリット５２を備える。端子接続部４１が、抜け止めスリット５２の内部に受け入れられるスリット嵌合部４５と、このスリット篏合部４５に隣接する第２フランジ４４とを備える。第２リテーナ５０が、抜け止め壁５１から延びる絶縁壁７６を備え、絶縁壁７６が隣り合う急速充電用端子４０間に配置されている。【選択図】図１８
2019102326.tif 000002
【特許請求の範囲】
【請求項１】
端子接続部と、前記端子接続部から連なり、電線に接続される電線接続部とを備える複数の端子と、
前記端子接続部を挿入可能な端子挿入口を有し、内部に前記端子接続部を収容する端子収容部を備えるハウジングと、
前記ハウジングに組み付けられて前記端子の前記ハウジングからの離脱を規制するリテーナとを備え、
前記リテーナが、前記端子挿入口を塞ぐように配置され、前記端子接続部の軸方向に対して垂直な方向に変位可能な抜け止め壁を備え、
前記抜け止め壁が、一端に前記端子接続部が進入可能な端子進入口を有するとともに、前記端子接続部の軸方向に対して垂直な方向に延びるスリット部を備え、
前記端子接続部が、前記スリット部の内部に受け入れられるスリット嵌合部と、前記スリット嵌合部に隣接して配置され、前記端子接続部の軸方向に対して垂直方向に延びるリテーナ受け壁とを備え、
前記リテーナが、前記抜け止め壁から延びる絶縁壁を備え、前記絶縁壁が隣り合う前記複数の端子間に配置されている充電用インレット。
【請求項２】
前記ハウジングが、前記抜け止め壁と対向する対向壁を備えるとともに、
前記ハウジングおよび前記リテーナのうち一方が、前記抜け止め壁および前記対向壁のうち一方から他方に向かって突出するとともに、前記端子接続部の軸方向に対して垂直な方向に延びるガイドリブを備え、前記ハウジングおよび前記リテーナのうち他方が、前記ガイドリブを受け入れるガイド溝を有し、
前記ガイドリブおよび前記ガイド溝が、隣り合う前記複数の端子間に配置されている、請求項１に記載の充電用インレット。
【発明の詳細な説明】
【技術分野】
【０００１】
本明細書によって開示される技術は、充電用インレットに関する。
【背景技術】
【０００２】
充電用インレットは、電気自動車やハイブリッド車等の車両に取り付けられ、車両に搭載されたバッテリを充電するために用いられる車両側コネクタであって、端子と、この端子を収容可能な端子収容部を備えるインレットハウジングとを備えている。端子は、充電コネクタに備えられた相手側端子と接続される端子接続部と、電線を接続可能な配線接続部と、フランジ状の突き当たり部とを備え、端子収容部の内部に収容されている。
【０００３】
インレットハウジングの後端には、端子の抜け止めのためのリテーナが後方から嵌め付けられている。リテーナは、端子収容部の内部に挿入される案内部を備えている。案内部は、配線接続部と、この配線接続部に接続された電線とを内部に挿通可能な略円筒状をなしている。案内部が端子収容部に挿入されて端子の突き当たり部に当接することにより、端子の端子収容部からの離脱が規制される（特許文献１参照）。
【先行技術文献】
【特許文献】
【０００４】
【特許文献１】特開２０１５−１５８９８２号公報
【発明の概要】
【発明が解決しようとする課題】
【０００５】
上記の構成では、案内部の内径および外径を、内部に挿通される配線接続部の外径、および、案内部が突き当たるフランジ部の外径に合わせる必要がある。このため、充電用インレットに接続される電線の太さに設計変更があった場合に、電線の太さにあわせて配線接続部の設計が変更されると、リテーナの設計変更を行う必要がある。
【０００６】
リテーナの設計変更を不要とするために、端子の軸方向に対して垂直な方向（端子のハウジングに対する挿抜方向に対して垂直な方向）からリテーナを係合させる構成とすることが考えられる。このような構成によれば、接続される電線の太さによらず、端子とリテーナとの係合部分の構成を共通化することができる。しかし、このような構成では、端子において、リテーナに係合される部分よりも後側（電線側）の部分が、リテーナの外側に露出してしまうこととなり、隣り合う端子間の短絡が懸念される。
【課題を解決するための手段】
【０００７】
本明細書によって開示される充電用インレットは、端子接続部と、前記端子接続部から連なり、電線に接続される電線接続部とを備える複数の端子と、前記端子接続部を挿入可能な端子挿入口を有し、内部に前記端子接続部を収容する端子収容部を備えるハウジングと、前記ハウジングに組み付けられて前記端子の前記ハウジングからの離脱を規制するリテーナとを備え、前記リテーナが、前記端子挿入口を塞ぐように配置され、前記端子接続部の軸方向に対して垂直な方向に変位可能な抜け止め壁を備え、前記抜け止め壁が、一端に前記端子接続部が進入可能な端子進入口を有するとともに、前記端子接続部の軸方向に対して垂直な方向に延びるスリット部を備え、前記端子接続部が、前記スリット部の内部に受け入れられるスリット嵌合部と、前記スリット嵌合部に隣接して配置され、前記端子接続部の軸方向に対して垂直方向に延びるリテーナ受け壁とを備え、前記リテーナが、前記抜け止め壁から延びる絶縁壁を備え、前記絶縁壁が隣り合う前記複数の端子間に配置されている。
【０００８】
上記の構成によれば、リテーナが、端子接続部の軸方向に対して垂直な方向（すなわち、端子のハウジングに対する挿抜方向に対して垂直な方向）から組み付けられるようになっている。そして、リテーナ受け壁に対して、抜け止め壁におけるスリット部の周縁部が係止することによって、端子のハウジングからの抜け止めが図られる。このような構成によれば、電線接続部の設計が異なる複数種の端子間で、スリット嵌合部とリテーナ受け壁の構成を共通化しておくことによって、充電用インレットに接続される電線の太さに設計変更があった場合であっても、リテーナの設計変更が不要となる。
【０００９】
しかし、このような構成では、端子において、リテーナによって係合される部分よりも後側（電線側）の部分が、端子収容部と抜け止め壁とで囲まれる空間から外部に露出することとなる。そこで、リテーナに、抜け止め壁から延びる絶縁壁を設けて、隣り合う端子において外部に露出する部分の間を仕切ることとしている。これにより、隣り合う端子間の短絡を抑制することができる。
【００１０】
上記の構成において、前記ハウジングが、前記抜け止め壁と対向する対向壁を備えるとともに、前記ハウジングおよび前記リテーナのうち一方が、前記抜け止め壁および前記対向壁のうち一方から他方に向かって突出するとともに、前記端子接続部の軸方向に対して垂直な方向に延びるガイドリブを備え、前記ハウジングおよび前記リテーナのうち他方が、前記ガイドリブを受け入れるガイド溝を有し、前記ガイドリブおよび前記ガイド溝が、隣り合う前記複数の端子間に配置されていても構わない。
【００１１】
このような構成によれば、ガイドリブがガイド溝に嵌まり込むことによって、リテーナのハウジングへの組み付けが案内されるので、リテーナのハウジングへの組み付けを円滑に行うことができる。また、隣り合う複数の端子のうち一方の端子から、対向壁の壁面を伝わって他方の端子に至る経路の距離（沿面距離）を大きくし、隣り合う端子間の短絡を抑制することができる。
【発明の効果】
【００１２】
本明細書によって開示される充電用インレットによれば、充電用インレットに接続される電線の太さに設計変更があった場合でも、リテーナの設計変更が不要となるとともに、隣り合う端子間の短絡を抑制できる。
【図面の簡単な説明】
【００１３】
【図１】実施形態の充電用インレットの斜視図−１
【図２】実施形態の充電用インレットの斜視図−２
【図３】実施形態の充電用インレットの分解斜視図
【図４】実施形態のインレットハウジングの正面図
【図５】実施形態のインレットハウジングの背面図
【図６】実施形態のインレットハウジングの側面図
【図７】実施形態のインレットハウジングの底面図
【図８】実施形態の急速充電用端子の側面図
【図９】実施形態の第２リテーナの正面図
【図１０】実施形態の第２リテーナの背面図
【図１１】実施形態の第２リテーナの側面図
【図１２】実施形態の第２リテーナの平面図
【図１３】実施形態の第２リテーナの底面図
【図１４】実施形態の充電用インレットの正面図
【図１５】図１４のＡ−Ａ線断面図
【図１６】実施形態の充電用インレットの背面図
【図１７】図１６のＢ−Ｂ線断面図
【図１８】図１６のＣ−Ｃ線断面図
【図１９】図１８の円Ｒ１内の拡大図
【図２０】実施形態の充電用インレットの側面図
【図２１】図２０のＤ−Ｄ線断面図
【図２２】図２０のＥ−Ｅ線断面図
【図２３】実施形態の充電用インレットの底面図
【発明を実施するための形態】
【００１４】
実施形態を、図１〜図２３を参照しつつ説明する。本実施形態の充電用インレット１は、電気自動車やハイブリッド車等の車両に取り付けられ、車両に搭載されたバッテリを充電するために用いられる車両側コネクタであって、普通充電用のコネクタと急速充電用のコネクタとが一体化された「Combined Charging System（コンボ方式）」に適合している。この充電用インレット１に対し、給電設備に備えられる給電側コネクタが嵌合接続されることでバッテリへの充電が行われるようになっている。
【００１５】
充電用インレット１は、図１および図１４に示すように、車両のボディパネルに固定されるインレットハウジング１０（ハウジングに該当）と、このインレットハウジング１０に保持される複数の普通充電用端子８０Ａ、８０Ｂ、８０Ｃおよび複数（本実施形態では２つ）の急速充電用端子４０（端子に該当）と、インレットハウジング１０に組み付けられる第１リテーナ９０および第２リテーナ５０（リテーナに該当）とを備えている。
【００１６】
インレットハウジング１０は、合成樹脂製であって、図４に示すように、車両のボディパネルに取り付けられる板状の取付板１１と、この取付板１１から連なるフード部１２と、フード部１２の内部に配される普通充電部２１と急速充電部２２とを備えている。
【００１７】
フード部１２は、図４および図６に示すように、取付板１１を貫通するように配される、全体として角筒状の部分である。フード部１２のうち、取付板１１の一面（図６の左側の面）から突出する部分は、インレットハウジング１０がボディパネルに固定された状態で車両の外側に配される外フード１３であり、取付板１１の他面（図６の右側の面）から突出する部分は、インレットハウジング１０がボディパネルに固定された状態で車両の内側に配される内フード１４である。内フード１４は、図５、図１７および図１８に示すように、互いに向かい合って配置される一対の長壁１５と、一対の長壁１５の端部同士を繋ぐ一対の短壁（第１短壁１６、第２短壁１７）とを備えている。
【００１８】
図５および図１７に示すように、フード部１２の内部において、第１短壁１６に近接する位置には急速充電部２２が配置されており、第２短壁１７に近接する位置には普通充電部２１が配置されている。
【００１９】
普通充電部２１の内部には、図１４に示すように、複数の普通充電用端子８０Ａ、８０Ｂ、８０Ｃが収容されている。普通充電部２１には、図１７に示すように、第１リテーナ９０が組み付けられており、この第１リテーナ９０によって、普通充電用端子８０Ａ、８０Ｂ、８０Ｃの普通充電部２１からの抜け止めが図られている。
【００２０】
急速充電部２２は、図１および図４に示すように、２つの端子収容筒２３（端子収容部に該当）を備えている。各端子収容筒２３は、両端が開口した円筒状をなしており、軸方向が取付板１１と垂直となる向きで配置されている。２つの端子収容筒２３は、第１短壁１６に平行に（図４の左右方向に）並んで配置されている。各端子収容筒２３において、内フード１４側の開口部は、図５および図１８に示すように、端子挿入口２４となっている。各端子収容筒２３の内部には、図５および図１８に示すように、端子挿入口２４よりもやや奥方に、円環状の突き当たり壁２５が配置されている。突き当たり壁２５の中心の孔は端子挿通孔２６となっている。
【００２１】
急速充電部２２とフード部１２とは、背壁３１（対向壁に該当）によって接続されている。背壁３１は、図１８に示すように、端子収容筒２３の軸方向と垂直に延び、内フード１４の開口縁と、２つの端子挿入口２４の開口縁とを繋ぐ壁である。
【００２２】
背壁３１からは、ガイドリブ３４が突出している。ガイドリブ３４は、図１５に示すように、背壁３１から外側に向かって（端子収容筒２３とは反対方向に向かって）突出する突部であって、図５に示すように、第１短壁１６から第２短壁１７に向かう方向（端子収容筒２３に対して垂直方向：図５の上下方向）に延びるすじ状をなしており、２つの端子挿入口２４の開口縁の間に配置されている。
【００２３】
急速充電用端子４０は、急速充電部２２に保持されるピン端子であって、図８に示すように、給電側コネクタに組み付けられた相手側端子と接続される丸棒状の端子接続部４１と、この端子接続部４１から連なるバレル部４２（電線接続部に該当）、第１フランジ４３および第２フランジ４４（リテーナ受け壁に該当）を備えている。バレル部４２は、クローズドバレル形式のバレルであって、端子接続部４１の一端に、端子接続部４１と同軸に配置された円筒状をなしている。このバレル部４２は、バッテリと接続された電線（図示せず）の端末部において露出された芯線が内部に挿入され、芯線にかしめ付けられることで、電線と接続されている。
【００２４】
第１フランジ４３は、端子接続部４１から外側に向かって（端子接続部４１の軸方向に対して垂直方向に）張り出す円形の鍔部であって、端子接続部４１においてバレル部４２と連なる端部に配置されている。第２フランジ４４は、第１フランジ４３と同様に、端子接続部４１から外側に向かって（端子接続部４１の軸方向に対して垂直方向に）張り出す円形の鍔部であって、第１フランジ４３よりも大きな外形を有しており、第１フランジ４３に対して間隔を空けて、第１フランジ４３よりも端子接続部４１の先端に近い位置に配置されている。端子接続部４１において、第１フランジ４３と第２フランジ４４との間に位置する部分は、スリット嵌合部４５となっている。
【００２５】
第２リテーナ５０は、急速充電部２２に保持された急速充電用端子４０を抜け止めするための部材であって、図９〜図１３に示すように、抜け止め壁５１と、この抜け止め壁５１から連なる第１囲み壁６１および第２囲み壁７１を備えている。
【００２６】
抜け止め壁５１は、図９に示すように、全体として矩形の壁部である。この抜け止め壁５１は、第２リテーナ５０が充電用インレット１に組み付けられた状態では、図１８に示すように、背壁３１に沿って、端子挿入口２４を塞ぐように配され、端子収容筒２３に保持された２つの急速充電用端子４０における端子接続部４１の軸方向に対して垂直に配置される。
【００２７】
第１囲み壁６１は、図９に示すように、抜け止め壁５１の周縁から、抜け止め壁５１に対して垂直に延びるＵ字状の壁部である。第１囲み壁６１と抜け止め壁５１とが、内部に内フード部１２の一部を収容するフード収容部６６を構成している。第１囲み壁６１において、Ｕ字形状の横壁部分は、第１短壁１６に沿って配置される第１底壁６２であり、Ｕ字形状の２つの縦壁部分のそれぞれは、２つの長壁１５のそれぞれにおいて第１短壁１６に隣接する部分に沿って配置される第１側壁６３である。フード収容部６６は、第１底壁６２と反対側に開口部（フード進入口６７）を有している。
【００２８】
第２囲み壁７１は、図１０に示すように、抜け止め壁５１から、第１囲み壁６１と反対側に延びるＵ字状の壁部である。第２囲み壁７１は、図１１および図１２に示すように、Ｕ字の大きさが第１囲み壁６１よりも一回り小さくなっており、Ｕ字の向きが第１囲み壁６１と同じ向きとなっている。第２囲み壁７１と抜け止め壁５１とが、急速充電用端子４０において端子収容筒２３から外部に露出された部分と、急速充電用端子４０に接続された電線の端末部とを収容する電線収容部７２を構成している。第２囲み壁７１においてＵ字形状の横壁部分は、第２底壁７３であり、Ｕ字形状の２つの縦壁部分のそれぞれは、第２側壁７４である。電線収容部７２は、第２底壁７３と反対側に開口部（電線進入口７５）を有している。
【００２９】
抜け止め壁５１は、図９に示すように、２つの抜け止めスリット５２（スリット部に該当）を有している。２つの抜け止めスリット５２のそれぞれは、抜け止め壁５１において、第１底壁６２とは反対側の端縁（フード進入口６７の開口縁）から第１底壁６２に向かって延びるスリット状の切り欠き部であって、第１底壁６２とは反対側の端縁（フード進入口６７の開口縁）に開口部（端子進入口５３）を有している。抜け止めスリット５２のスリット幅は、図１８および図２１に示すように、スリット嵌合部４５の外径と等しいかわずかに大きく、急速充電用端子４０の２つのフランジ４３、４４の外径よりも小さくなっている。
【００３０】
抜け止め壁５１からは、図１２に示すように、電線収容部７２の内部に張り出し部５４が突出しており、張り出し部５４からは、さらに絶縁壁７６が突出している。図１０および図１２に示すように、張り出し部５４は、２つの第２側壁７４間の中央位置に、２つの第２側壁７４と平行に延びるすじ状の突部である。絶縁壁７６は、２つの第２側壁７４間の中央位置に、２つの第２側壁７４と平行に延びる壁部である。張り出し部５４と絶縁壁７６とは、抜け止め壁５１において、２つの抜け止めスリット５２間の中央に位置しており、２つの抜け止めスリット５２の延び方向と同方向に延びている。
【００３１】
抜け止め壁５１は、図１２に示すように、フード収容部６６の方を向く面（インレットハウジング１０に組み付けられた際に、背壁３１と対向する面；図１２の下面））から凹むガイド溝５５を有している。ガイド溝５５は、図１２に示すように、張り出し部５４のちょうど裏側に配置され、図９に示すように、２つの第１側壁６３と平行に（２つの抜け止めスリット５２の延び方向と同方向に）延びる溝である。
【００３２】
インレットハウジング１０は、図５、図６に示すように、２つの長壁１５のそれぞれから外側に向かって突出する係止突起３２を備えており、２つの第１側壁６３のそれぞれは、図１１に示すように、２つの係止突起３２のそれぞれを受け入れる係止孔６４を有している。
【００３３】
また、第２リテーナ５０は、２つの係止リブ６５を備えており、２つの長壁１５のそれぞれは、２つの係止リブ６５のそれぞれを受け入れる係止溝３３を有している。各係止リブ６５は、図１２に示すように、第１側壁６３の延出端（抜け止め壁５１とは反対側の端縁）から内側に向かって（相手側の第１側壁６３に向かって）突出するすじ状の突部であって、図９に示すように、フード進入口６７の開口縁から第１底壁６２に向かって延びている。係止溝３３は、図２２に示すように、長壁１５の外壁面１５Ｆを基準として凹む細長い溝部であって、内部に係止リブ６５を受け入れ可能となっている。
【００３４】
次に、インレットハウジング１０に対する急速充電用端子４０と第２リテーナ５０との組み付けについて説明する。
【００３５】
まず、インレットハウジング１０に、電線にかしめ付けられた２つの急速充電用端子４０を組み付ける。各急速充電用端子４０を端子挿入口２４から各端子収容筒２３の内部に挿入する。各急速充電用端子４０が正規位置まで挿入された状態では、図１８に示すように、端子接続部４１が端子挿通孔２６に挿通され、第２フランジ４４が突き当たり壁２５に当接している。端子接続部４１において第２フランジ４４とそれよりも先端側の部分が端子収容筒２３の内部に収容され、スリット嵌合部４５、第１フランジ４３およびバレル部４２が、端子収容筒２３の外部に露出している。
【００３６】
次に、インレットハウジング１０に第２リテーナ５０を組み付ける。内フード１４を、フード進入口６７からフード収容部６６の内部に進入させる。そして、第２リテーナ５０を、内フード１４に対して、第１短壁１６から第２短壁１７に向かう方向（インレットハウジング１０に保持されている急速充電用端子４０における端子接続部４１の軸方向に対して垂直方向：図３の下から上方向）にスライドさせる。このとき、抜け止め壁５１が、背壁３１に沿って、第１短壁１６から第２短壁１７に向かう方向にスライドする。すなわち、抜け止め壁５１は、端子接続部４１の軸方向に対して垂直な方向に変位する。ガイドリブ３４が、ガイド溝５５の内部に進入し、インレットハウジング１０に対する第２リテーナ５０の組み付けを案内する。
【００３７】
内フード１４がフード収容部６６の内部に進入していくと、２つの急速充電用端子４０のそれぞれのスリット嵌合部４５が、２つの抜け止めスリット５２のそれぞれの内部に進入していく。また、２つの第１側壁６３が、それぞれ、係止突起３２に乗り上げるようにして外側に開くように撓む。
【００３８】
第２リテーナ５０が正規位置に組み付けられると、図２０に示すように、各係止突起３２が各係止孔６４の内部に嵌まり込むことで、第２リテーナ５０のインレットハウジング１０からの離脱が規制される。また、図２２に示すように、各係止溝３３の内部に各係止リブ６５が嵌まり込む。各急速充電用端子４０は、図２１に示すように、スリット嵌合部４５が各抜け止めスリット５２の奥端に達し、図１８に示すように、抜け止め壁５１において、各抜け止めスリット５２のスリット縁に隣接する周縁部が、各急速充電用端子４０の第１フランジ４３と第２フランジ４４との間に入り込む。
【００３９】
各急速充電用端子４０において、第１フランジ４３とバレル部４２とは、図１８に示すように、フード収容部６６の外側に配置され、電線収容部７２の内部に収容されている。２つの急速充電用端子４０の第１フランジ４３とバレル部４２との間は、絶縁壁７６によって仕切られている。
【００４０】
充電用インレット１の使用中や運搬中などにおいて、何らかの原因によって電線が引っ張られると、急速充電用端子４０に対して、急速充電部２２から離脱しようとする方向に力が加わる。このとき、第２フランジ４４に対して、抜け止め壁５１における抜け止めスリット５２の周縁部が係止することによって、急速充電用端子４０のインレットハウジング１０からの離脱が規制される。また、各係止溝３３の内部に各係止リブ６５が嵌まり込むことによって、第２リテーナ５０が急速充電用端子４０の離脱方向（図２２の右方向）に引っ張られ、インレットハウジング１０から外れてしまうことが規制されている。
【００４１】
ここで、急速充電用端子４０のバレル部４２は、クローズドバレル形式であり、対応できる電線径に限りがある。このため、充電用インレット１に接続される電線の太さに応じて異なるバレルサイズを有する複数種の急速充電用端子を使い分ける必要があり、従来は、使用する急速充電用端子の種類に応じてリテーナの設計変更を行っていた。
【００４２】
本実施形態では、第２リテーナ５０が、インレットハウジング１０に保持された急速充電用端子４０における端子接続部４１の軸方向に対して垂直な方向（すなわち、急速充電用端子４０のインレットハウジング１０に対する挿抜方向に対して垂直な方向）から組み付けられるようになっている。そして、第２フランジ４４に対して、抜け止め壁５１における抜け止めスリット５２の周縁部が係止することによって、急速充電用端子４０のインレットハウジング１０からの離脱が規制される。このような構成によれば、バレルサイズが異なる複数種の急速充電用端子間で、スリット嵌合部と第２フランジの構成を共通化しておくことによって、充電用インレット１に接続される電線の太さに設計変更があった場合であっても、第２リテーナ５０の設計変更が不要となる。
【００４３】
しかし、このような構成によれば、図１８に示すように、２つの急速充電用端子４０の一部分（第１フランジ４３とバレル部４２）が、端子収容筒２３と抜け止め壁５１とで囲まれる空間の外部に露出することとなる。そこで、第２リテーナ５０に絶縁壁７６を設けて、２つの急速充電用端子４０において、外部に露出する部分の間を仕切ることとしている。これにより、２つの急速充電用端子４０間の短絡を抑制することができる。
【００４４】
また、背壁３１からガイドリブ３４が突出しており、抜け止め壁５１がこのガイドリブ３４を受け入れるガイド溝５５を有している。そして、ガイドリブ３４とガイド溝５５とは、図１８に示すように、２つの急速充電用端子４０の間に位置している。このような構成によれば、一方の急速充電用端子４０から、背壁３１の壁面を伝わって他方の急速充電用端子４０に至る経路の距離（沿面距離）を大きくし、隣り合う急速充電用端子４０間の短絡を抑制することができる。
【００４５】
以上のように本実施形態によれば、充電用インレット１は、端子接続部４１と、この端子接続部４１から連なり、電線に接続されるバレル部４２とを備える複数の急速充電用端子４０と、端子接続部４１を挿入可能な端子挿入口２４を有し、内部に急速充電用端子４０を収容する端子収容筒２３を備えるインレットハウジング１０と、インレットハウジング１０に組み付けられて急速充電用端子４０のインレットハウジング１０からの離脱を規制する第２リテーナ５０とを備える。第２リテーナ５０は、端子挿入口２４を塞ぐように配置され、端子接続部４１の軸方向に対して垂直な方向に変位可能な抜け止め壁５１を備える。抜け止め壁５１は、一端に端子接続部４１が進入可能な端子進入口５３を有するとともに、端子接続部４１の軸方向に対して垂直な方向に延びる抜け止めスリット５２を備える。端子接続部４１が、抜け止めスリット５２の内部に受け入れられるスリット嵌合部４５と、スリット嵌合部４５に隣接して配置され、端子接続部４１の軸方向に対して垂直方向に延びる第２フランジ４４とを備える。第２リテーナ５０が、抜け止め壁５１から延びる絶縁壁７６を備え、絶縁壁７６が隣り合う急速充電用端子４０間に配置されている。
【００４６】
上記の構成によれば、第２リテーナ５０が、端子接続部４１の軸方向に対して垂直な方向（すなわち、急速充電用端子４０のインレットハウジング１０に対する挿抜方向に対して垂直な方向）から組み付けられるようになっている。そして、第２フランジ４４に対して、抜け止め壁５１における抜け止めスリット５２の周縁部が係止することによって、急速充電用端子４０のインレットハウジング１０からの抜け止めが図られる。このような構成によれば、バレル部の設計が異なる複数種の急速充電用端子間で、スリット嵌合部と第２フランジの構成を共通化しておくことによって、充電用インレット１に接続される電線の太さに設計変更があった場合であっても、第２リテーナ５０の設計変更が不要となる。
【００４７】
しかし、このような構成では、急速充電用端子４０の一部分が、端子収容筒２３と抜け止め壁５１とで囲まれる空間から外部に露出することとなる。そこで、第２リテーナ５０に抜け止め壁５１から延びる絶縁壁７６を設けて、隣り合う急速充電用端子４０において、外部に露出する部分の間を仕切ることとしている。これにより、隣り合う急速充電用端子４０間の短絡を抑制することができる。
【００４８】
上記の構成において、インレットハウジング１０が、抜け止め壁５１と対向する背壁３１を備えるとともに、インレットハウジング１０が、背壁３１から他方に向かって突出するとともに、端子接続部４１の軸方向に対して垂直な方向に延びるガイドリブ３４を備え、第２リテーナ５０が、ガイドリブ３４を受け入れるガイド溝５５を有し、ガイドリブ３４およびガイド溝５５が、隣り合う急速充電用端子４０間に配置されている。
【００４９】
このような構成によれば、ガイドリブ３４がガイド溝５５に嵌まり込むことによって、第２リテーナ５０のインレットハウジング１０への組み付けが案内されるので、第２リテーナ５０のインレットハウジング１０への組み付けを円滑に行うことができる。また、一方の急速充電用端子４０から、背壁３１の壁面を伝わって他方の急速充電用端子４０に至る経路の距離（沿面距離）を大きくし、隣り合う急速充電用端子４０間の短絡を抑制することができる。
【００５０】
＜他の実施形態＞
本明細書によって開示される技術は上記記述及び図面によって説明した実施形態に限定されるものではなく、例えば次のような種々の態様も含まれる。
（１）上記実施形態では、２つの急速充電用端子４０がインレットハウジング１０に組み付けられていたが、ハウジングに保持される端子は１つでもよく、３つ以上であっても構わない。
【００５１】
（２）上記実施形態では、充電用インレット１が、コンボ方式に適合したコネクタであったが、充電用インレットが、コンボ方式以外の方式に適合したコネクタであってもよく、例えば、普通充電用のコネクタと急速充電用のコネクタとが別体となったコネクタであっても構わない。
【００５２】
（３）上記実施形態では、インレットハウジング１０がガイドリブ３４を備え、第２リテーナ５０がガイド溝５５を有していたが、リテーナがガイドリブを備え、ハウジングがガイド溝を有していても構わない。
【符号の説明】
【００５３】
１…充電用インレット
１０…インレットハウジング（ハウジング）
２３…端子収容筒（端子収容部）
２４…端子挿入口
３１…背壁（対向壁）
３４…ガイドリブ
４０…急速充電用端子（端子）
４１…端子接続部
４２…バレル部（電線接続部）
４４…第２フランジ（リテーナ受け壁）
４５…スリット嵌合部
５０…第２リテーナ（リテーナ）
５１…抜け止め壁
５２…抜け止めスリット（スリット部）
５３…端子進入口
５５…ガイド溝
７６…絶縁壁
【図１】
2019102326.tif 000003
【図２】
2019102326.tif 000004
【図３】
2019102326.tif 000005
【図４】
2019102326.tif 000006
【図５】
2019102326.tif 000007
【図６】
2019102326.tif 000008
【図７】
2019102326.tif 000009
【図８】
2019102326.tif 000010
【図９】
2019102326.tif 000011
【図１０】
2019102326.tif 000012
【図１１】
2019102326.tif 000013
【図１２】
2019102326.tif 000014
【図１３】
2019102326.tif 000015
【図１４】
2019102326.tif 000016
【図１５】
2019102326.tif 000017
【図１６】
2019102326.tif 000018
【図１７】
2019102326.tif 000019
【図１８】
2019102326.tif 000020
【図１９】
2019102326.tif 000021
【図２０】
2019102326.tif 000022
【図２１】
2019102326.tif 000023
【図２２】
2019102326.tif 000024
【図２３】
2019102326.tif 000025